(57)【特許請求の範囲】
【請求項１】
音声データを第一の音声ファイルへ変換して記録媒体に記録すること及び上記第一の音声ファイルを上記記録媒体から読み出して再生することが可能な第一の動作モードと、上記記録媒体に記録された音楽データを変換した第二の音声ファイルを読み出して再生することが可能な第二の動作モードとを有する音声記録再生装置であって、
再生レベルを変化させるボリューム値を設定する為の設定手段と、
上記第一の動作モード及び上記第二の動作モードのうち何れかのモードを選択する選択手段と、
上記選択手段によって上記第一の動作モードが選択された状態から、上記選択手段によって上記第二の動作モードが選択された状態とされ、且つ音声ファイルの再生処理を指示する操作が行われた際に、上記設定手段によって設定されたボリューム値が所定値以上であるか否かを判定する判定手段と、
上記判定手段によって上記ボリューム値が所定値未満であると判定された場合には音声ファイルの再生処理を行い、上記判定手段によって上記ボリューム値が所定値以上であると判定された場合には警告表示を行うと共に、音声ファイルの再生処理を指示する操作又は音声ファイルの再生処理の停止を指示する操作を検出するまで当該音声記録再生装置を待機状態とする制御を行う制御手段と、
を有することを特徴とする音声記録再生装置。
【請求項２】
上記第一の音声ファイルは、ＤＳＳ方式で符号化されたファイルであり、上記第二の音声ファイルは、ＷＭＡ方式またはＭＰ３方式で符号化されたファイルであることを特徴とする請求項１に記載の音声記録再生装置。
【発明の詳細な説明】
【０００１】
【発明の属する技術分野】
本発明は、データ記録再生装置に係わり、特にボリューム設定値を考慮した再生機能を備えたデータ記録再生装置に関する。
【０００２】
【従来の技術】
従来、半導体メモリに記録された、圧縮された音楽データを音声信号に変換してヘッドホン等により出力する、所謂半導体オーディオプレーヤが製品化されている。その中には、音声メモ機能と称して口述や会議内容等を本体に内蔵されたマイクを用いて入力した後、内部回路でデジタルデータに変換して、内蔵の半導体メモリに記録するような機能を有するものもある。
【０００３】
このような半導体オーディオプレーヤにおいて、オーディオデータのうち通常の音楽データ、例えばポップス等の音楽データは、比較的高めの記録レベルで記録されている。一方、オーディオデータのうち音声メモ機能で記録されるような音楽データは、マイクの特性或いは記録されている内容等の事情により、比較的低めの記録レベルで記録されている。
【０００４】
【発明が解決しようとする課題】
しかしながら、かかる場合、基準信号に対して同じような減衰率で前記音楽データ及び音声データの再生を行うと、記録レベルが相違することから、音声データの再生レベルの方が音楽データの再生レベルよりも小さくなってしまう。
【０００５】
従って、例えば音楽データを再生するのに適当なボリューム値に調節して音声データを再生した後に音楽データを再生すると、音楽データを再生するには再生レベルが大きくなりすぎる場合があり、問題となっていた。
【０００６】
かかる問題に対して、実際の製品では、音楽データの再生レベルと音声データのボリューム値とを別々に有するような手法が採用されている。しかしながら、このような方法では、音楽データの再生ボリューム値と音声データの再生ボリューム値がリンクしていないため、音声データを聞いているときにボリューム値を下げた場合、音楽データの再生ボリューム値が下がっていないにも関わらず、音楽データの再生ボリューム値も下がっているものと判断され、再生ボリューム値が大きすぎる状態下で音楽データを再生してしまうおそれがある。
【０００７】
本発明の目的は、前記問題に鑑みてなされたもので、その目的とするところは、記録レベルの異なるオーディオデータの再生を行う際、不用意に大音量でオーディオデータが再生されることのないデータ記録再生装置を提供することである。
【０００８】
【課題を解決するための手段】
上記の目的を達成するために、本発明の第１の態様による音声記録再生装置は、音声データを第一の音声ファイルへ変換して記録媒体に記録すること及び上記第一の音声ファイルを上記記録媒体から読み出して再生することが可能な第一の動作モードと、上記記録媒体に記録された音楽データを変換した第二の音声ファイルを読み出して再生することが可能な第二の動作モードとを有する音声記録再生装置であって、再生レベルを変化させるボリューム値を設定する為の設定手段と、上記第一の動作モード及び上記第二の動作モードのうち何れかのモードを選択する選択手段と、上記選択手段によって上記第一の動作モードが選択された状態から、上記選択手段によって上記第二の動作モードが選択された状態とされ、且つ音声ファイルの再生処理を指示する操作が行われた際に、上記設定手段によって設定されたボリューム値が所定値以上であるか否かを判定する判定手段と、上記判定手段によって上記ボリューム値が所定値未満であると判定された場合には音声ファイルの再生処理を行い、上記判定手段によって上記ボリューム値が所定値以上であると判定された場合には警告表示を行うと共に、音声ファイルの再生処理を指示する操作又は音声ファイルの再生処理の停止を指示する操作を検出するまで当該音声記録再生装置を待機状態とする制御を行う制御手段と、を有することを特徴とする。
【０００９】
上記の目的を達成するために、本発明の第２の態様による音声記録再生装置は、上記第１の態様に係る音声記録再生装置であって、上記第一の音声ファイルは、ＤＳＳ方式で符号化されたファイルであり、上記第二の音声ファイルは、ＷＭＡ方式またはＭＰ３方式で符号化されたファイルであることを特徴とする。
【００１５】
【発明の実施の形態】
本発明の実施形態を以下に図面を用いて説明する。
【００１６】
図１は、本発明の実施形態である音声記録再生装置の構成を示した図である。まず、本音声記録再生装置において、音声を記録する場合の信号の流れに沿って各ブロックの説明を行う。本実施形態の音声記録再生装置は、図１に示すように、音声を電気信号に変換するマイク１０１及び、外部マイク等の外部装置からの音声信号を入力するマイクジャック１０２を具備している。そして、これらのうちどちらを使用するかを入力切換スイッチ１０３によって選択する。この入力切換スイッチ１０３は、マイクジャック１０２に、外部装置に接続された端子がマイクジャック１０２に接続されたときにはマイクジャック１０２を選択し、それ以外の場合にはマイク１０１を選択するように構成されている。なお、本実施形態では、マイク１０１およびマイクジャック１０２は、いずれも音声チャンネルがひとつのモノラルでの入力としている。
【００１７】
そして、入力切換スイッチ１０３によって選択された音声信号はプリアンプ１０４に入力され、増幅される。前記プリアンプ１０４の増幅率あるいは電源供給の制御等は、本音声記録再生装置の動作全体を制御する制御回路ＣＰＵ１１６によって制御されている。プリアンプ１０４によって増幅された音声信号は、音声信号とデジタル信号との間で信号を変換するステレオコーデック１０５の入力アンプ１０５ａに入力される。音声信号は、ここで再度増幅された後に、アナログ信号である音声信号をデジタル信号に変換するＡ／ＤコンバータＲ１０５ｂおよびＡ／ＤコンバータＬ１０５ｃにそれぞれに入力される。そして、ここで音声信号はデジタル音声信号に変換され、デジタルフィルタ１０５ｄに入力される。なお、ステレオコーデック１０５自体は、ステレオ信号に対するアナログ信号からデジタル信号への変換、およびデジタル信号からアナログ信号への変換に対応しているので、Ａ／Ｄコンバータも右チャンネルおよび左チャンネル用の１０５ｂと１０５ｃの二つが備えられているが、マイク１０１またはマイクジャック１０２がモノラル入力であるため、上述のように一つの入力信号をそれぞれのＡ／Ｄコンバータ１０５ｂおよび１０５ｃの両方に入力するような構成を採っている。
【００１８】
次に、デジタルフィルタ１０５ｄでは、上述の音声信号からデジタル音声信号への変換が行われたときに発生するエリアシングノイズと呼ばれる不要な量子化ノイズをデジタル音声信号から取り除く、といった処理が行われる。そして、量子化ノイズが取り除かれたデジタル音声信号は、デジタル信号処理部（以後ＤＳＰと略す。）１１４へ転送される。前記ＤＳＰ１１４では、前記ＣＰＵ１１６の制御のもとで、入力されたチジタル音声信号をフレーム単位で所定のフォーマットに従って符号化（圧縮変換）し、符号化データを生成する。本音声記録再生装置では、Digital Speech Standard（以後ＤＳＳと略す。）と呼ばれる符号化方式を用いることとする。こうして生成された符号化データは、符号化データ記録手段としてのメモリカード１１７へ転送される。前記メモリカード１１７は本音声記録再生機本体に対して着脱可能なカード形状をした、フラッシュメモリ等の半導体メモリで構成されている。具体的には、Smart Media（登録商標）等があり、本音声記録再生装置ではこれを用いる場合について説明する。符号化データは、双方向バストランシーバＩＣ１１５を介したＣＰＵ１１６の制御のもとで、メモリカード１１７内の所定のアドレスに順次書き込まれる。なお、メモリカード１１７内に書き込まれた符号化データはファイルを一つの単位として扱われる（ＤＳＳ方式で符号化された符号化データファイルを以後ＤＳＳファイルとする）。また、本音声記録再生装置での音声の記録はモノラルで行われるようになっているので、Ａ／ＤコンバータＲ１０５ｂ側から出力されたデジタル音声信号の符号化データのみメモリカード１１７に記録されるようになっている。
【００１９】
次にメモリカード１１７に記録された符号化データを再生する際の信号の流れに沿って各ブロックの機能等の説明を行う。まず、メモリカード１１７から、ＤＳＰ１１４へ符号化データを順次転送する。前記ＤＳＰ１１４に転送された符号化データはＣＰＵ１１６の制御のもとで、所定のフレーム単位でデジタル音声信号に復号化（伸張変換）される。なお、前記メモリカード１１７には、後で詳述するように、ＤＳＳファイル以外の符号化データも記録可能となっている。従って、ＤＳＰ１１４ではメモリカード１１７から送られてきた符号化データに対して、どの符号化方式が用いられているのかを判別し、その符号化方式に従って符号化データを復号化する。
【００２０】
また、本実施の形態の音声記録再生装置は、マイクロソフト社（登録商標）のWindows Media（登録商標）方式（以後、ＷＭＡ方式と記し、その符号化データファイルをＷＭＡファイルと記す）、Motion Picture Experts Groupe-１Audio Layer３方式（以後ＭＰ３方式と記し、その符号化データファイルをＭＰ３ファイルと記す。）およびＤＳＳ方式の３つの復号化を行うことができることとする。復号化されたデジタル音声信号はステレオコーデック１０５へ転送される。転送されたデジタル音声信号は、ステレオコーデック１０５内のデジタルフィルタ１０５ｄにおいて、不要な量子化雑音の除去が行われる。その後、左右各チャンネル毎にＤ／ＡコンバータＲ１０５ｅ、およびＤ／ＡコンバータＬ１０５fにおいてデジタル音声信号からアナログの音声信号への変換が行われ、出力アンプＲ１０５ｇ、および出力アンプＬ１０５ｈで信号の増幅が行われ、ステレオコーデック１０５から出力される。なお、もとの符号化データがモノラルでのデータであった場合には、左右両チャンネルに同じ信号を入力して処理の後、出力する。
【００２１】
そして、ステレオコーデック１０５から出力された左右各チャンネルの音声信号は、お互いに連動している出力切換スイッチ１０６、１０７によってその出力先が切り換えられる。音声信号の出力先には、外部ヘッドホン等を接続して外部の再生機器を用いて音声信号を再生するヘッドホン端子Ｒ１１１、およびヘッドホン端子Ｌ１１２と、本音声記録再生装置本体に備えられたスピーカー１１３の二つが用意されている。さらに、出力切換スイッチ１０６、１０７をそれぞれ１０６a、１０７a側に切り換えた場合には、出力先としてヘッドホン端子Ｒ１１１、ヘッドホン端子Ｌ１１２が選択され、ヘッドホンアンプＲ１０８およびヘッドホンアンプＬ１０９でヘッドホン端子からの出力にあわせた増幅率で音声信号が増幅され、左右各チャンネル毎に出力される。出力切換スイッチ１０６、１０７をそれぞれ１０６ｂ、１０７ｂ側に切り換えた場合には、出力先としてスピーカー１１３が選択される。なお、スピーカー１１３は一つしか本体に内蔵されていないので、音声信号は左右各チャンネルの信号を合成した後に、スピーカーアンプ１１０でスピーカー１１３に適正な増幅率で増幅され、スピーカー１１３から出力される。また、制御回路ＣＰＵ１１６には、上述したものの他にもいくつかの回路等が接続されている。
【００２２】
また、表示部１１９は２色のＬＥＤと、バックライトを有する液晶ディスプレイとで構成され、本音声記録再生装置の動作状態等を表示している。表示駆動回路１１８は、ＣＰＵ１１６の制御の下で表示部１１９を表示駆動する。操作スイッチ群１２０は、詳細は後述するが、本音声記録再生装置の外装に設けられ、各種機能を制御するための操作スイッチである。電源回路１２１は、本音声記録再生装置を駆動するための電力を供給するための回路で、バッテリー、バッテリーチェック回路、パワーオンリセット回路、昇圧回路、降圧回路、および外部電源接続回路等の電源制御に関する回路を含む。
【００２３】
そして、内蔵メモリ１２２は、本体内蔵の書き換え可能な不揮発性メモリであるＥＥＰＲＯＭで構成されており、ユーザＩＤ、録音モード（標準モード／長時間モード）の選択設定、ビープ音（ＯＮ／ＯＦＦ）の選択設定、データの再生位置等、ＣＰＵ１１６に電源が供給されなくなっても記録しておきたい各種設定、パラメータ等を記録しておく。また、本音声記録再生装置はパソコン等の外部機器と接続可能である。本音声記録再生装置は外部機器と接続し、双方向通信を行うことで、例えば、パソコンのハードディスク等に記録されている符号化データファイルをメモリカード１１７に転送したり、その逆に、メモリカード１１７に記録されている符号化データファイルをパソコン側の記録媒体に転送したり、あるいは、マイク１０１から入力された音声信号をステレオコーデック１０５でデジタル音声信号に変換し、ＤＳＰ１１４で符号化した符号化データを直接パソコン側の記録媒体に記録するようにしたりするなど、この他にも様々な処理を行うことができるようになる。
【００２４】
そして、上述のパソコン等の外部機器との通信のために、本実施形態の音声記録再生装置では、Universal serial Bus（以後ＵＳＢと記す。）と呼ばれるインターフェスを介して接続するように構成されている。外部接続端子１２４はＵＳＢケーブルに接続するための接続端子であり、通信ドライバ１２３によって制御され、内部バスを介してＣＰＵ１１６に接続されている。双方向バストランシーバＩＣ１１５は、不図示のメモリカード１１７の音声記録再生装置側の接続端子と、ＣＰＵ１１６およびＵＳＢ接続端子１２４との間の接続を遮断するために、バスラインに設けられているものである。これは、外部接続端子１２４にＵＳＢケーブルが接続され、ＣＰＵ１１６が外部機器と通信しているときに、メモリカード１１７の挿入動作が行われてしまった場合に、バスライン間で電気的にショートしてしまい、メモリカード１１７やＣＰＵ１１６が破損等してしまうことを防止するためのものである。従って、メモリカード１１７が装填されておらず、ＣＰＵ１１６が外部機器とＵＳＢ接続端子１２４を介して通信しているときには、双方向バストランシーバＩＣ１１５は、メモリカード１１７の音声記録再生装置側の接続端子と、ＣＰＵ１１６との接続を遮断するように構成されている。
【００２５】
ここで、本音声記録再生装置の動作モードについて説明する。本音声記録再生装置には二つの動作モードがある。一つは、マイクやマイクジャックから入力される音声を記録し、またその記録したものを再生する事が可能な第１のモード（以後、レコーダモードと記す。）であり、もう一つは、記録動作は行うことができず、記録媒体に記録されている符号化データファイルを再生することに特化した第２のモード（以後プレーヤモードと記す。）である。
【００２６】
本実施の形態の音声記録再生装置においては、レコーダモードでは、主としてメッセージメモやディクテーション、会議録音等での使用を想定し、符号化方式は高圧縮で長時間録音に適しているＤＳＳ方式を用いることとする。プレーヤモードでは、主として音楽を聴くことを想定し、高音質な再生が可能なＷＭＡ方式、およびＭＰ３方式の符号化を用いることとする。
【００２７】
次に本音声記録再生装置の概要を図２および図３を用いて外観から説明する。図２は、本実施の形態の音声記録再生装置の外観を斜め前方より見た図であり、図３は、斜め後方より見た図である。本体２０１の正面にはメイン表示部２０２が配置されている。メイン表示部２０２はＬＣＤ表示装置で構成されており、電池残量、録音モード、ファイル番号、ユーザＩＤ、各種時刻表示、動作状態表示等様々な表示を行うことができる。また、操作釦を操作したときには数秒間バックライトが点灯するようになっている。また、録音釦２０３は、音声の記録の開始を指示するための釦である。この録音釦２０３はレコーダモードのみで操作可能であり、プレーヤモードで操作した場合にはエラーアラームが鳴り、記録開始指示は無視される。停止釦２０４は本機が記録、再生等の動作中である場合には、それらの動作の停止を指示するための釦である。再生釦２０５は、メモリカード１１７に記録されている符号化データファイルの再生開始を指示するための釦である。早戻釦２０６は、再生中の符号化データファイルの早戻しを行ったり、再生する符号化データファイルの選択を行う際にファイル番号をデクリメントしたり、メニュー設定の際にパラメータをデクリメントしたりするための釦である。早送釦２０７は、再生中の符号化データファイルの早送り、あるいは早送り再生を行ったり、再生する符号化データファイルの選択を行う際にファイル番号をインクリメントしたり、メニュー設定の際にパラメータをインクリメントしたりするための釦である。なお、早戻釦２０６と早送釦２０７は一体的に構成されており、いわゆるシーソースイッチとなっている。消去釦２０８は、早戻釦２０６あるいは早送釦２０７等を用いて選択されている符号化データファイルをメモリカード１１７から消去するための釦である。具体的には、消去したい符号化データファイルを選択して、一度消去釦を押すと、表示窓２０２に消去しようとしている符号化データファイルが点滅表示されるので、点滅表示している間にもう一度消去釦２０８を押す、という動作を行う。これにより、所望の符号化データファイルをメモリカード１１７から消去することができる。
【００２８】
そして、インデクス釦２０９は、上述のレコーダモードとプレーヤモードとでその機能が異なる釦である。レコーダモードの場合は、インデクスマークを記録中の符号化データファイルに付与する。なお、インデクスマークの記録可能数は１ファイルにつき１６個以内とする。また、プレーヤモードの場合は、再生する音楽に適した周波数特性を予め数種類（本音声記録再生装置では、ノーマル、ポップス、ジャズ、クラシック、ユーザ定義の５種類）を用意しておき、その中から所望の周波数特性を選択し、再生音を変更するための釦である。メニュー釦２１０は、録音モードの設定、時計設定、ユーザＩＤの設定等、本音声記録再生装置に関わる諸設定を行うための釦である。また、プレーヤモードでは、サラウンド効果、あるいは低音増幅等の特殊効果の切換を行うことができる。フォルダ釦２１１は、上述のレコーダモードとプレーヤモードとでその機能が異なる釦である。レコーダモードの場合は、メモリカード１１７内には符号化データファイルを格納するのに複数のフォルダが用意されているのであるが一それらを切り換えるための釦として機能する。プレーヤモードの場合は、再生モードの設定を行うための釦として機能する。
【００２９】
また、本音声記録再生装置の場合には、プレーヤモードで扱う符号化ファイルすべてを順番に一回だけ再生（通常再生モード）、１ファイルのみの繰り返し再生（１曲りピート再生モード）、プレーヤモードで扱う符号化ファイルをすべて順番に繰り返し再生（全曲リピート再生モード）、プレーヤモードで扱う符号化ファイルをランダムに繰り返し再生（ランダムリピート再生モード）、およびプレーヤモードで扱う符号化ファイルを一回づつランダムな順番で再生（ランダム再生モード）、の中から選択することができる。
【００３０】
そして、ヘッドホンジャック２１２は、ヘッドホン、外部スピーカーあるいは外部音声処理装置に音声信号を出力するためのもので内部にはヘッドホン端子Ｒ１１１、ヘッドホン端子Ｌ１１２が配置されている。また、スピーカー２１３からも再生音を出力することができる。なお、再生出力の切り換え機構は、ヘッドホンジャック２１２にプラグが差し込まれていれば、ヘッドホンジャックから再生信号を出力し、ヘッドホンジャック２１２にヘプラグが差し込まれていなければ、スピーカー２１３から再生音を出力するように構成されている。なお、これらヘッドホンジャック２１２およびスピーカー２１３からは、警告信号または警告音を発生することもできる。マイクジャック２１４は、外部マイク、あるいは外部音声処理装置からの音声信号を入力するためのジャックである。また、これとは別に本体にもマイク２１５が内蔵されている。これらの音声信号入力の切り換え機構は再生出力のときと同様、マイクジャック２１４にプラグが差し込まれていれば、マイクジャック２１４から音声信号を入力し、プラグが差し込まれていなければ、マイク２１５から音声信号を入力するように構成されている。
【００３１】
次に、インジケータ２１６は、主に再生または記録動作の状態を表示するもので、２色ＬＥＤが用いられている。再生中には緑色に点灯し、記録中は赤色に点灯するように構成されている。また、インジケータ２１６は、警告表示にも用いられ、何らかの理由でユーザに対して警告を発するときは、赤色の点滅表示を行う。ボリュームつまみ２１７は、ヘッドホンジャック２１２およびスピーカー２１３からの出力レベルを調節するためのものである。また、記録媒体挿入口２１８は、メモリカード１１７を挿入するための開口部である。動作モードスイッチ２１９は、本音声記録再生装置の動作モードを、上述したレコーダモードとプレーヤモードとの間で切り換えるためのスイッチである。マイク感度スイッチ２２０は、マイク２１５の入力レベルを設定するためのスイッチで、高感度（会議モード）と低感度（口述モード）との間で切り換えが可能である。
【００３２】
そして、ホールドスイッチ２２１は、押しボタンスイッチの操作入力を無効にし、動作が停止している場合には本音声記録再生装置の動作モードを省電力モードに移行させる、いわゆるホールド機能を設定、および解除するためのスイッチである。また、電源ジャック２２２は、外部電源と接続して外部から電力の供給を受けるためのものである。イジェクトつまみ２２３は、記録媒体挿入口２１８から挿入されているメモリカード１１７を取り出すためのものである。電池蓋２２４は、電池室を覆っている蓋である。外部接続端子２２５は、パソコン等の外部機器に接続して通信を行うための端子である。本音声記録再生装置ではＵＳＢ端子を用いることとする。メインスイッチ２２６は、本音声記録再生装置の動作をＯＮ／ＯＦＦするスイッチである。また、この電源スイッチ２２６はＯＮ状態においてイジェクトつまみ２２３と機械的に係合し、メモリカード１１７を取り出せないように構成されている。なお、上述の各種操作釦は押しボタンスイッチとなっており、押圧の操作でスイッチ状態がＯＮとなるように構成されているものとする。
【００３３】
次に、図４を用いて、本音声記録再生装置に用いられているメモリカード１１７には、どのようにデータが記録されているのかを説明する。メモリカード１１７のルートには、符号化データファイル４１、曲順データファイル４２、ＤＳＳファイルフォルダ４３、４４、４５およびコーデックデータフォルダ５４が記録されている。符号化データファイル４１は、拡張子にＭＰ３またはＷＭＡを有しており、これらがＭＰ３方式あるいはＷＭＡ方式で符号化された音楽データファイルであることを示している。
【００３４】
そして、これらは上述のプレーヤモードで再生が可能な符号化データファイルである。曲順データファイル４２は上述のプレーヤモードで再生が可能な符号化データファイルの再生の順番をテーブルデータとして有しているファイルである。プレーヤモードで符号化データファイルの再生の順番を変えたい場合には、この曲順ファイル４２をＣＰＵ１１６の制御により書き換える。ＤＳＳファイルフォルダ４３、４４、４５は、ＤＳＳファイルを格納しておくためのフォルダである。レコーダモードでは、ＤＳＳファイルを整理するためにＡ，Ｂ，Ｃの３つのフォルダが設けられており、ＤＳＳファイルフォルダ４３、４４、４５はこれらのフォルダＡ，Ｂ，Ｃに対応する。ＤＳＳファイルフォルダ４３、４４、４５にはそれぞれＤＳＳファイル４６、４７、４８が格納されており、これらはレコーダモードにて再生が可能である。また、記録時には、これらＤＳＳファイルフォルダ４３、４４、４５のいずれかにＤＳＳファイルが作成される。ＤＳＳファイル４６、４７、４８の再生の順番はそれぞれフォルダ毎に、テーブルデータとして再生順データファイル５１、５２、５３に記録されている。
【００３５】
なお、表示部２０２の表示能力、あるいは操作者の使い勝手等を考慮し、本実施の形態の音声記録再生装置では、レコーダモードでは、１フォルダあたりの記録可能ファイル数は１９９件とし、全体では５９７件とする。ＤＳＳファイルフォルダ４３には、上述のファイルの他に、フォルダ名データファイル４９とリカバリーデータファイル５０が記録されている。本音声記録再生装置では、上述したフォルダＡ，Ｂ，Ｃは、メイン表示部２０２における表示名を任意の表示名に変更することができる。フォルダ名データファイル４９は、その表示名とＤＳＳフォルダファイル４３、４４、４５を対応付けさせるためのデータが記録されている。また、リカバリーデータファイル５０は、何らかの理由で、ＤＳＳファイルフォルダ４３、４４、４５内のデータが破壊されてしまったときに復旧を行うためのデータが記録されているファイルである。コーデックフォルダ５４は、プレーヤモードで再生される符号化データファイルのコーデックファイル５５、５６を格納するためのフォルダである。前記コーデックファイル５５、５６のファイル名の先頭３文字は、対応する符号化データファイルの拡張子を用いている。また、これらコーデックファイルの拡張子はimgが用いられている。なお、レコーダモードでの記録及び再生のためのコーデックファイルはＣＰＵ１１６内のＲＯＭに格納されている。
【００３６】
次に、図５は、記録再生装置の再生レベル調節テーブルを示す図である。テーブル中、指標値は音量つまみ２１７上に表示されている指標の値である。音量指示値は、音量調節装置１２５の出力をＣＰＵ１１６がＡ／Ｄ変換して読み取った値である。設定減衰値は、出力アンプ１０５ｇ、１０５ｈから出力される基準信号レベル（或いは最大信号レベル）からどれだけ減衰させるかを示す値である。また、設定減衰値はＣＰＵ１１６が読み取った音量指示値によって決定される。
【００３７】
次に、図６は、本発明の実施形態のメインフローを示した図である。図６に示すように、Ｓ１では初期化を行い、Ｓ２に進む。Ｓ２では、レコーダモードかプレーヤモードかの判断を行い、プレーヤモードであった場合は、Ｓ３に進み、Ｓ３では、レコーダモードからプレーヤモードに切り替わった時にＦ（フラグ）に１を立て、Ｓ５に進む。レコーダモードからプレーヤモードに切り替わらず、もともとレコーダモードであった場合には、Ｆに１を立てずＳ５に進む。Ｓ５では、録音釦２０３が押されたかどうかを判断する。録音釦２０３が押されていれば警告表示を出し、Ｓ７に進み、録音釦２０３が押されていなければそのままＳ７に進む。
【００３８】
次に、Ｓ７では、再生釦２０５が押されたかどうかを判断する。再生釦２０５が押されていれば、後述する再生処理を行い、Ｓ９に進み、再生釦２０５が押されていなければ、そのままＳ９に進む。Ｓ９では、早送釦が押されたかどうかを判断する。早送釦２０７が押されていれば早送りをし、Ｓ１１に進み、早送釦２０７が押されていなければそのままＳ１１に進む。Ｓ１１では、早戻釦２０６が押されたかどうかを判断する。早戻釦２０６が押されていれば巻き戻しをし、Ｓ１３に進み、早戻釦２０６が押されていなければそのままＳ１３に進む。Ｓ１３では、停止釦２０４が押されたかどうかを判断する。停止釦２０４が押された場合に、何かの動作処理を行っていればそれらの処理を停止し、Ｓ１５に進み、停止釦２０４が押されていなければ、Ｓ１５に進む。Ｓ１５では、メニュー釦２１０が押されたかどうかを判断する。メニュー釦２１０が押されていればメニュー設定処理を行い、Ｓ１６に進み、メニュー釦２１０が押されていなければそのままＳ１６に進む。Ｓ１６では、消去釦２０８が押されたかどうかを判断する。消去釦２０８が押されていれば消去を行い、Ｓ１に戻り、消去釦２０８が押されていなければＳ１に戻る。
【００３９】
一方、Ｓ２でレコーダモードであると判断された場合には、Ｓ１９に進む。Ｓ１９では、録音釦２０３が押されたかどうかを判断する。録音釦２０３がおされた場合には、録音を行い、Ｓ２１に進み、録音釦２０３が押されていない場合には、Ｓ２１に進む。次に、Ｓ２１では、再生釦２０５が押されたかどうかを判断する。再生釦２０５が押されていれば、再生を行い、Ｓ２３に進み、再生釦２０５が押されていなければ、Ｓ２３に進む。Ｓ２３では、早送釦２０７が押されたかどうかを判断する。早送釦２０７が押されていれば早送りをし、Ｓ２５に進み、早送釦２０７が押されていなければそのままＳ２５に進む。Ｓ２５では、早戻釦２０６が押されたかどうかを判断する。早戻釦２０６が押されていれば巻き戻しをし、Ｓ２７に進み、早戻釦２０６が押されていなければそのままＳ２７に進む。Ｓ２７では、メニュー釦２１０が押されたかどうかを判断する。メニュー釦２１０が押されていればメニュー設定処理を行い、Ｓ２９に進み、メニュー釦２１０が押されていなければそのままＳ２９に進む。Ｓ２９では、消去釦２０８が押されたかどうかを判断する。消去釦２０８が押されていれば消去を行い、Ｓ１に戻り、消去釦２０８が押されていなければＳ１に戻る。
【００４０】
次に、図７は、Ｓ７において再生釦２０５が押された場合の再生処理のフローを示した図である。図７に示すように、再生モードに入ると、Ｓ３０で、Ｆ（フラグ）に１が立っているかどうかを判断する。Ｆに１が立っている場合には、Ｓ３２に進み、再生のボリュームの指標値が６以上か、つまり警告ボリューム値を判断する。なお、音量指示値での判断レベルは１８とする。再生のボリュームの指示値が６以上である場合には、Ｓ３４に進み、再生のボリュームの指標値が６以上であることの警告をする。この警告は画面上の表示であっても良いし、ビープ音等であってもよく、ユーザにわかるようにすればよい。次に、Ｓ３４で警告をした後に、Ｓ３６に進み、再生をするかどうかの判断をユーザに促す。ここで再生釦２０５が押された場合には、Ｓ３８に進み、再生を行う。一方、Ｓ３０でＦが立っていないとき（Ｆ＝０）は、Ｓ３８に進み再生を行う。また、Ｓ３２で再生のボリュームの指標値が６未満の場合も同様にＳ３８に進み、再生を行う。また、Ｓ３６で再生釦２０５が押されなかった場合には、Ｓ４２に進み、停止釦２０４が押されたかどうかを判断する。Ｓ４２において停止釦２０４が押されたと判断された場合には、そのまま終了し、もとのフローチャートへ戻る、一方、停止釦２０４が押されていないと判断された場合には、Ｓ３６に戻る。すなわち、再生釦２０５か、あるいは停止釦２０４のいずれかが押されるまでＳ３６およびＳ４２の判断を繰り返す。そして、Ｓ３８で再生を行った後は、Ｓ４０に進み、Ｆを０に戻して終了する。
【００４１】
なお、本発明の実施形態には、入力された音声データを記録媒体に記録すること、および上記記録媒体に記録された音声データを再生することの双方が可能な第１の動作モードと、上記記録媒体に記録されている音声データを再生すること一方のみ可能な第２の動作モードとが存在するが、第２の動作モードでは、録音のみができないモードであり、前述のようにサーチ、データの消去等の他の動作は可能である。なお、警告ボリューム値は、本実施形態の中では固定値（指標値６、音量指示値１８）として説明したが、これに限らず、例えば、内蔵メモリ１２２に可変値として記録しておき、メニュー設定処理の中で警告ボリューム値を変更するステップを追加してユーザが所望の値に変更できるようにしても良い。また、同様の構成で、Ｓ３０乃至Ｓ３６の処理を行うかどうかをメニュー設定処理の中でユーザが決定できるようにしておき、その設定に従ってＳ３０の前にこれらの処理をスキップするように図７の再生処理のフローを変更しても良い。
【００４２】
以上、本発明の実施形態を用いることにより、再生ボリュームが過度に高い場合でも、ユーザに警告を行い、再生をするかどうかの選択を行わせ、再生ボリューム値がユーザの意図したものよりも高い場合は、このときに再生ボリューム値を下げることにより、ユーザの意図した再生ボリューム値で再生できるようになる。
【００４３】
【発明の効果】
本発明を用いることにより、記録レベルの異なるオーディオデータの再生を行う際であっても、不用意に大音量でオーディオデータが再生されることを防止することができる。
【図面の簡単な説明】
【図１】本発明の実施形態に係る音声記録再生装置の構成を示した図。
【図２】本発明の実施形態に係る音声記録再生装置の外観を斜め前方より見た図。
【図３】本発明の実施形態に係る音声記録再生装置の外観を斜め後方より見た図。
【図４】本発明の実施形態に係るメモリカードのデータの記録方法を説明した図。
【図５】本発明の実施形態に係る記録再生装置の再生レベル調節テーブルを示す図。
【図６】本発明の実施形態に係るメインフローを示した図。
【図７】本発明の実施形態に係るプレーヤモード時の再生のフローを示した図。
【符号の説明】
１１３…スピーカー、１１７…メモリカード、４１…符号化データファイル、５４…コーデックフォルダ、５５、５６…コーデックファイル、１０１…マイク、１０３…入力切換スイッチ、１０４…プリアンプ、１０５…ステレオコーデック、１１４…デジタル信号処理部、１１５…双方向バストランシーバＩＣ、１１７…メモリカード、１１８…表示駆動回路、１１９…表示部、１２０…操作スイッチ群、１２１…電源回路、１２２…内蔵メモリ、１２３…通信ドライバ、１２４…外部接続端子
【図１】
0004187444.tif 000002
【図２】
0004187444.tif 000003
【図３】
0004187444.tif 000004
【図４】
0004187444.tif 000005
【図５】
0004187444.tif 000006
【図６】
0004187444.tif 000007
【図７】
0004187444.tif 000008